(57)【特許請求の範囲】
【請求項１】
生ゴミを破砕して水と共に配管に流し出すディスポーザと、
前記ディスポーザに給水する給水装置と、
前記ディスポーザの下流側に接続された配管と、
前記ディスポーザの下流側で前記配管の末端に設けられたポンプと、
前記ポンプの下流側に設けられた圧送管と、
前記圧送管の下流側に設けられた排水処理装置と、
前記給水装置及びポンプの運転を制御する制御装置と
を備え、
前記給水装置は、前記ディスポーザの運転開始時から該デイスボーザにより破砕された生ゴミを前記排水処理装置へ送り込むまで連続運転され、
前記ポンプは、前記デイスポーザの運転時には連続運転され、該ディスポーザの運転停止と同期して、該ディスポーザにより破砕された生ゴミを前記排水処理装置へ送り込むまで所定の間欠運転を行い、
前記所定の間欠運転は、前記ポンプの停止中に前記給水装置から供給される水で前記ポンプを満水状態にする前記ポンプ停止動作と、前記ポンプの運転によって前記満水状態の水を前記ポンプ下流の前記圧送管へ高圧の生ゴミを含む懸濁液として吐出する前記ポンプの運転動作とを繰り返す
ことを特徴とする生ゴミ処理システム。
【請求項２】
生ゴミを破砕して水と共に配管に流し出すデイスポーザと、
前記ディスポーザに給水する給水装置と、
前記ディスポーザの下流側に接続された配管と、
前記ディスポーザの下流側で前記配管の末端に設けられたポンプと、
前記ポンプの下流側に設けられた圧送管と、
前記圧送管の下流側に設けられた排水処理装置と、
前記給水装置及びポンプの運転を制御する制御装置と
を備え、
前記給水装置は、前記ディスポーザの運転開始時から該ディスポーザにより破砕された生ゴミを前記排水処理装置へ送り込むまで連続運転され、
前記ポンプは、前記ディスポーザの運転開始と同期して、該ディスポーザにより破砕された生ゴミを前記排水処理装置へ送り込むまで所定の間欠運転を行い、
前記所定の間欠運転は、前記ポンプの停止中に前記給水装置から供給される水で前記ポンプを満水状態にする前記ポンプ停止動作と、前記ポンプの運転によって前記満水状態の水を前記ポンプ下流の前記圧送管へ高圧の生ゴミを含む懸濁液として吐出する前記ポンプの運転動作とを繰り返す
ことを特徴とする生ゴミ処埋システム。
【発明の詳細な説明】
【０００１】
【発明の属する技術分野】
本発明は、ディスポーザにより排出される生ゴミの粉砕物と水とを処理するシステムに関する。
【０００２】
【従来の技術】
従来、流し台シンクの排水孔下部にディスポーザを設けた生ゴミ処理システムが知られている（例えば、特開２００１−８７６６３号公報、特開２０００−２８２５３５号公報など参照）。
図４は、従来の生ゴミ処理システムの一例を示す。
従来の生ゴミ処理システムは、流し台シンク１の排水孔下部に設けたディスポーザ２と、ディスポーザ２の下流側に配管３を介して設けたポンプ４と、ポンプ４の吐出側に圧送管５を介して設けた排水処理装置６とで構成されている。
【０００３】
従来の生ゴミ処理システムでは、厨房の調理くずや残飯などの生ゴミが水と共にディスポ−ザ２に送り込まれると、ディスポーザ２では、生ゴミを粉砕して水と共に配管３に流し出す。そして、配管３を介して生ゴミと共に水が来ると、ポンプ４が吐出力によって生ゴミを水と共に圧送管５を介して排水処理装置６へ送り込む。次に、排水処理装置６では、粉砕された生ゴミを分解処理し、処理水が所定の条件を満たすと、公共下水道あるいは合併浄化槽へ放流している。
【０００４】
【発明が解決しようとする課題】
しかし、従来の生ゴミ処理システムでは、例えば卵の殻、貝殻などが圧送管５内に堆積し、圧送管５を閉塞するおそれがある。
なお、特開２０００−２８２５３５号公報には、ディスポーザ排水を搬出するためにジェットポンプを設けることが開示されている。しかし、ジェットポンプを設けると、システム設計が複雑になるばかりか維持管理が面倒であるという問題がある。
【０００５】
本発明は斯かる従来の問題点を解決するために為されたもので、その目的は、圧送管の閉塞を確実に防止することが可能な生ゴミ処理システムを提供することにある。
【０００６】
【課題を解決するための手段】
請求項１に係る生ゴミ処理システムは、生ゴミを破砕して水と共に配管に流し出すディスポーザと、前記ディスポーザに給水する給水装置と、前記ディスポーザの下流側に接続された配管と、前記ディスポーザの下流側で前記配管の末端に設けられたポンプと、前記ポンプの下流側に設けられた圧送管と、前記圧送管の下流側に設けられた排水処理装置と、前記給水装置及びポンプの運転を制御する制御装置とを備え、前記給水装置は、前記ディスポーザの運転開始時から該デイスボーザにより破砕された生ゴミを前記排水処理装置へ送り込むまで連続運転され、前記ポンプは、前記デイスポーザの運転時には連続運転され、該ディスポーザの運転停止と同期して、該ディスポーザにより破砕された生ゴミを前記排水処理装置へ送り込むまで所定の間欠運転を行い、前記所定の間欠運転は、前記ポンプの停止中に前記給水装置から供給される水で前記ポンプを満水状態にする前記ポンプ停止動作と、前記ポンプの運転によって前記満水状態の水を前記ポンプ下流の前記圧送管へ高圧の生ゴミを含む懸濁液として吐出する前記ポンプの運転動作とを繰り返すことを特徴とする。
【０００７】
請求項２に係る生ゴミ処埋システムは、生ゴミを破砕して水と共に配管に流し出すデイスポーザと、前記ディスポーザに給水する給水装置と、前記ディスポーザの下流側に接続された配管と、前記ディスポーザの下流側で前記配管の末端に設けられたポンプと、前記ポンプの下流側に設けられた圧送管と、前記圧送管の下流側に設けられた排水処理装置と、前記給水装置及びポンプの運転を制御する制御装置とを備え、前記給水装置は、前記ディスポーザの運転開始時から該ディスポーザにより破砕された生ゴミを前記排水処理装置へ送り込むまで連続運転され、前記ポンプは、前記ディスポーザの運転開始と同期して、該ディスポーザにより破砕された生ゴミを前記排水処理装置へ送り込むまで所定の間欠運転を行い、前記所定の間欠運転は、前記ポンプの停止中に前記給水装置から供給される水で前記ポンプを満水状態にする前記ポンプ停止動作と、前記ポンプの運転によって前記満水状態の水を前記ポンプ下流の前記圧送管へ高圧の生ゴミを含む懸濁液として吐出する前記ポンプの運転動作とを繰り返すことを特徴とする。
【０００８】
【発明の実施の形態】
以下、本発明を図面に示す実施形態に基づいて説明する。
図１は、本発明の一実施形態に係る生ゴミ処理システムを示す。
本実施形態に係る生ゴミ処理システムは、流し台シンク１１の排水孔下部に設けたディスポーザ１２と、ディスポーザ１２の下流側に配管１３を介して設けたポンプ１４と、ポンプ１４の吐出側に圧送管１５を介して設けた排水処理装置１６とで構成されている。
【０００９】
ここで、ポンプ１４としては、容量式のポンプが用いられている。そして、ディスポーザ１２及びポンプ１４は、図２に示す処理フローに従って運転される。
ディスポーザ１２は、運転開始スイッチの投入により作動し、運転停止スイッチの投入により停止することができるＯＮ−ＯＦＦスイッチを備えている。
また、ディスポーザ１２への給水は、自動給水装置１７により行われる。自動給水装置１７では、ディスポーザ１２の運転開始スイッチの投入と同期して水道管に連絡する電磁弁を開き、ポンプ１４の運転終了と同期して電磁弁を閉じるように構成されている。自動給水装置１７の運転は制御装置２０によって制御されている。
【００１０】
ポンプ１４は、ディスポーザ１２の運転開始スイッチの投入と同期して駆動され、ポンプ１４の運転終了と同期して所定の間欠運転を所定の時間にわたって行うように制御装置２０によるシーケンス制御が行われている。
次に、本実施形態に係る生ゴミ処理システムの作用を説明する。
先ず、処理に際し、ディスポーザ１２の運転開始スイッチを投入する。制御装置２０では、ディスポーザ１２の運転開始スイッチの投入を感知すると、自動給水装置１７及びポンプ１４に作動指令を出す。これにより、ディスポーザ１２の運転と同時に給水が行われ、且つ、ポンプ１４の運転も開始される。
【００１１】
次いで、厨房の調理くずや残飯などの生ゴミが水と共にディスポ−ザ１２に送り込まれると、ディスポーザ１２では、生ゴミを粉砕して水と共に配管１３に流し出す。そして、配管１３を介して水と共に生ゴミがポンプ１４まで来ると、ポンプ１４により圧送管１５へ送り出される。
次いで、ディスポーザ１２の運転停止スイッチが投入され、ディスポーザ１２の運転が停止する。制御装置２０では、ディスポーザ１２の運転停止スイッチの投入を感知すると、ポンプ１４に間欠運転作動指令を出す。これにより、ポンプ１４が間欠運転に切り替えられる。
【００１２】
この間にも、給水は、継続して行われている。ここで、ポンプ１４は、ディスポーザ１２と同時に停止しているので、ポンプ１４に連続して送られる水で満水状態となる。
この状態で、ポンプ１４が駆動されるので、ポンプ１４から吐出される吐出物は生ゴミと水が殆どを占める。従って、圧送管１５には高圧の生ゴミを含む懸濁液が吐出されることとなる。このため、圧送管１５の壁面に堆積しようとする、例えば卵の殻、貝殻などが押し流される。
【００１３】
そして、ポンプ１４は、所定の時間後には、再び停止し、ポンプ１４に連続して送られる水で満水状態となる。この状態で、ポンプ１４は再び駆動されるので、上述と同様に、圧送管１５には高圧の生ゴミを含む懸濁液が吐出されることとなる。このため、圧送管１５の壁面に堆積しようとする、例えば卵の殻、貝殻などが押し流される。
【００１４】
このように、ポンプ１４を間欠運転することによって、ポンプ１４からの吐出時には高圧の生ゴミを含む懸濁液を圧送管１５へ送り出すことができ、例えば卵の殻、貝殻などを圧送管１５の壁面に堆積させることなく、排水処理装置１６へ懸濁液と共に押し流すことができる。
そして、所定の時間が経過すると、制御装置２０からポンプ１４及び自動給水装置１７に停止指令が出され、ポンプ１４及び自動給水装置１７が停止する。
【００１５】
以上のように、本実施形態によれば、ディスポーザ１２から吐出された生ゴミを含む懸濁液は、順次ポンプ１２により圧送管１５側へ押し出され、そして、ディスポーザ１２の運転停止後には、所定の間欠運転を開始するポンプ１４によって圧送管１５へ高圧状態で送り出されるので、排水処理装置１６へ向かって脈動的に押し出されることとなり、圧送管１５の壁面に堆積しようとする、例えば卵の殻、貝殻などを押し流し、確実に排水処理装置１６へ送り込むことが可能となる。従って、圧送管１５を閉塞することが無くなる。
【００１６】
本実施形態によれば、ポンプ１４により吐出される高圧の生ゴミを含む懸濁液又は水によって、圧送管１５内は常に清掃された状態が維持されるので、圧送管１５の維持管理が容易になる。尚、ポンプ１４による圧送は、後段では生ゴミを含む懸濁液の濃度が薄くなる。
尚、排水処理装置１６での分解処理は、従来と同様に行われる。
【００１７】
又、本実施形態では、ポンプ１４の間欠運転の間隔を１０秒として説明したが、適用される生ゴミ処理システムにより間隔は任意に求められる。例えば、停止時間と運転時間とを等しくする場合、両者の間隔を異ならせる場合など、任意に設定できる。
図３は、本発明の別の実施形態に係る生ゴミ処理システムにおける運転状況を示すフロー図である。
【００１８】
図２に示すフロー図では、ポンプ１４は、ディスポーザ１２の運転開始スイッチの投入と同期して駆動され、ポンプ１４の運転終了と同期して所定の間欠運転を所定の時間にわたって行うように制御装置２０によるシーケンス制御が行われるように構成したが、本実施形態では、ポンプ１４は、ディスポーザ１２の運転開始スイッチの投入と同期して駆動され、ディスポーザ１２の運転終了まで間欠運転を所定の時間にわたって行うように構成した点で相違する。
【００１９】
従って、本実施形態では、ディスポーザ１２の運転開始スイッチの投入からディスポーザ１２の運転停止スイッチの投入までの間、すなわち、ディスポーザ１２が運転している間中、ポンプ１４が間欠運転を行う。
本実施形態においても、上記実施形態と同様の作用効果を奏することが可能である。
【００２０】
【発明の効果】
以上のように、本発明によれば、ディスポーザにより破砕された生ゴミを含む懸濁液に含まれる、例えば卵の殻、貝殻などを圧送管の壁面に堆積させること無く、確実に押し流すことが可能となり、圧送管の閉塞を防止することができる。
【図面の簡単な説明】
【図１】本発明の一実施形態に係る生ゴミ処理システムを示す説明図である。
【図２】図１の生ゴミ処理システムにおける運転状況を示すフロー図である。
【図３】本発明の別の実施形態に係る生ゴミ処理システムにおける運転状況を示すフロー図である。
【図４】従来の生ゴミ処理システムを示す説明図である。
【符号の説明】
１１  流し台シンク
１２  ディスポーザ
１３  配管
１４  ポンプ
１５  圧送管
１６  排水処理装置
１７  自動給水装置
２０  制御装置
【図１】
0004444535.tif 000002
【図２】
0004444535.tif 000003
【図３】
0004444535.tif 000004
【図４】
0004444535.tif 000005